(57)【特許請求の範囲】
【請求項１】
造成した敷設用路盤の上面に舗装のために敷設される矩形板状のプレキャスト版であり、鉄筋を配置した型枠内へ高強度コンクリートを打設して形成する高強度鉄筋コンクリートプレキャスト版であって、前記プレキャスト版の周囲には所定間隔で、該プレキャスト版同士を結合する断面Ｈ形のコッターを取り付けるためのコッター受金具を鉛直に配設した高強度鉄筋コンクリートプレキャスト版に於いて、
該プレキャスト版の幅方向に所定間隔で長手方向に配設する上面側の２本の主鉄筋と下面側１本の主鉄筋との間に長手方向に連続して斜筋を固着して、横断面視Ｖ字型となるようにトラス鉄筋を構成し、上記横断面視Ｖ字型となるトラス鉄筋の上面側の主鉄筋同士を水平筋で固着し、該水平筋を固着したトラス鉄筋を該プレキャスト版の幅方向に所定間隔で配設し、
且つ、上記プレキャスト版の幅方向の中央部であって、長手方向両端部夫々から長手方向の長さの４分の１の長さ分中心寄り位置にして、隣り合う上記水平筋を固着したトラス鉄筋の中間である上記水平筋を固着したトラス鉄筋の近傍箇所に路盤の不同沈下時該プレキャスト版をリフトアップするためのリフトアップジャッキ取付治具の取付けのみならず該プレキャスト版搬送用クレーンの吊り金具の取付けに利用するパイプを鉛直に埋設し、該パイプは前記プレキャスト版の上面側の内径に刻設されている台形螺子に螺合する雌螺子を刻設してなり、
更に、上記プレキャスト版の下面に、グラウト材の付着を防止するためのアクリル系、ポリウレタン系又はフッソ系の樹脂を塗布して表面処理を施してなることを特徴とする高強度鉄筋コンクリートプレキャスト版。
【発明の詳細な説明】
【０００１】
【発明の属する技術分野】
本発明は高強度鉄筋コンクリートプレキャスト版（以下、高強度ＲＣ・ＰＣａ版という）に関するものであり、特に、空港のエプロン、誘導路等の広範囲な場所でのコンクリート舗装の急速施工を可能にする高強度ＲＣ・ＰＣａ版に関するものである。
【０００２】
【従来の技術】
従来の空港舗装に於ては、主にポストテンションプレストレストコンクリート舗装が行われている。
【０００３】
この施工手順を図１０により説明する。
【０００４】
１：舗装領域内の掘削等の路盤工を行う（ステップＳ1 ）
２：舗装領域内へのコンクリート打設のために周辺に型枠を設置する（ステップＳ2 ）
３：路盤内にグラウト材の漏出を防止するために路盤工の上にポリエチレンシート等を敷設する（ステップＳ3 ）
４：舗装領域内にプレストレス導入のためのシース管及び鉄筋を配設し、該シース管内にＰＣ鋼より線を挿入する（ステップＳ4 ）
５：舗装領域内にコンクリートを敷き均す（ステップＳ5 ）
６：コンクリートの締固め、粗仕上げをする（ステップＳ6 ）
７：コンクリートの養生を行う（ステップＳ7 ）
８：コンクリートにプレストレスを導入する（ステップＳ8 ）
９：コンクリートと路盤との間にグラウト材を充填する（ステップＳ9 ）
１０：コンクリート舗装完成（ステップＳ10）
又、このコンクリート舗装については以下の特徴を有している。
【０００５】
１：曲げ作用に対する抵抗性が極めて大きいため、ひび割れが発生しにくい。
【０００６】
２：コンクリート厚が薄い。（１８０mm位）
３：変形能力が大きい。
【０００７】
４：目地が少ない。略１００ｍ間隔に伸縮目地を設置する。
【０００８】
【発明が解決しようとする課題】
上記従来例のコンクリート舗装は、プレストレス導入のためのシース管の配設、ＰＣ鋼より線の挿入等の準備工が必要になると共に、コンクリート強度の発生を待つ養生並びに暑中及び寒中に打設する場合の養生を経てプレストレスを導入するので工期が長くなり、且つ、施工コストが嵩む。更に、現場でのコンクリート打設のためコンクリートの品質管理が極めて困難であった。又、伸縮目地の設置も非常にコストが掛っていた。
【０００９】
そこで、ポストテンションプレストレストコンクリート舗装と同等以上の強度を持ち、且つ、プレストレス導入設備等の大規模設備が不用で、コンクリート舗装の急速施工が可能となって大幅な工期の短縮による工事費のコストダウンに寄与する高強度ＲＣ・ＰＣａ版を得るために解決すべき技術的課題が生じてくるのであり、本発明はこの課題を解決することを目的とする。
【００１０】
【課題を解決するための手段】
本発明は上記目的を達成するために提案されたものであり、造成した敷設用路盤の上面に舗装のために敷設される矩形板状のプレキャスト版であり、鉄筋を配置した型枠内へ高強度コンクリートを打設して形成する高強度鉄筋コンクリートプレキャスト版であって、前記プレキャスト版の周囲には所定間隔で、該プレキャスト版同士を結合する断面Ｈ形のコッターを取り付けるためのコッター受金具を鉛直に配設した高強度鉄筋コンクリートプレキャスト版に於いて、
該プレキャスト版の幅方向に所定間隔で長手方向に配設する上面側の２本の主鉄筋と下面側１本の主鉄筋との間に長手方向に連続して斜筋を固着して、横断面視Ｖ字型となるようにトラス鉄筋を構成し、上記横断面視Ｖ字型となるトラス鉄筋の上面側の主鉄筋同士を水平筋で固着し、該水平筋を固着したトラス鉄筋を該プレキャスト版の幅方向に所定間隔で配設し、
且つ、上記プレキャスト版の幅方向の中央部であって、長手方向両端部夫々から長手方向の長さの４分の１の長さ分中心寄り位置にして、隣り合う上記水平筋固着トラス鉄筋の中間である上記水平筋固着トラス鉄筋の近傍箇所に路盤の不同沈下時該プレキャスト版をリフトアップするためのリフトアップジャッキ取付治具の取付けのみならず該プレキャスト版搬送用クレーンの吊り金具の取付けに利用するパイプを鉛直に埋設し、該パイプは前記プレキャスト版の上面側の内径に該リフトアップジャッキ取付治具の軸部及び上記吊り金具の軸部に刻設されている台形螺子に螺合する雌螺子を刻設してなり、
更に、上記プレキャスト版の下面に、グラウト材の付着を防止するためのアクリル系、ポリウレタン系又はフッソ系の樹脂を塗布して表面処理を施してなる高強度鉄筋コンクリートプレキャスト版を提供するものである。
【００１１】
【発明の実施の形態】
以下、本発明の一実施の形態を図１乃至図９に従って詳述する。図１は高強度ＲＣ・ＰＣａ版１の配筋状態を示す平面図である。図１の中心線より上部は該高強度ＲＣ・ＰＣａ版１の長手方向長さの半分を下面から視たものであり、図１の中心線より下部は該高強度ＲＣ・ＰＣａ版１の長手方向長さの半分を上面から視たものである。又、図２は図１の長手方向の側面図を示し、図３は図１の幅方向の断面図を示す。該高強度ＲＣ・ＰＣａ版１の大きさは、例えば施工現場への搬送等を考慮して長手方向の長さを７．５ｍ、幅３．５ｍの矩形板状に形成し、厚さは０．２ｍとする。
【００１２】
該高強度ＲＣ・ＰＣａ版１の幅方向の所定間隔には、該高強度ＲＣ・ＰＣａ版１の変形性能を高めるためにトラス鉄筋５，５…を配設する。該トラス鉄筋５，５…は、図３に示すように上面側に７０mmの間隔を取って直径１０mmの２本の主鉄筋２，２と下面側に直径１６mmの１本の主鉄筋３とを厚さ方向に１２５．５mmの間隔を取って配設し、上面側の主鉄筋２，２と下面側の主鉄筋３の左右夫々に直径７mmの斜筋４，４…を固着して断面Ｖ字型となるようにし、且つ、該斜筋４，４…は図２に示すように長手方向にトラス状に配設して形成する。該上面側の主鉄筋２，２は圧縮側に、該下面側の主鉄筋３は引張側の鉄筋として作用する。該トラス鉄筋５，５…は鉄筋加工手間を削減するために該高強度ＲＣ・ＰＣａ版１内に組み込む前に、予め該上面側の主鉄筋２，２と該下面側の主鉄筋３と該斜筋４，４とで長手方向に一体化して形成しておく。
【００１３】
又、該上面側の主鉄筋２，２と長手方向に平行な位置には所定間隔で直径１３mmの上縦筋６，６…を配設し、該上縦筋６，６…と格子状に直径１３mmの上横筋７，７を配設し、該上縦筋６，６…と該上横筋７，７…とを互に結束線（図示せず）等で結束する。更に、該下面側の主鉄筋３，３…と長手方向に平行な位置には、所定間隔で直径１６mmの下縦筋８，８…を配設し、該下縦筋８，８…と格子状に直径１６mmの下横筋９，９…を配設し、該下縦筋８，８…と該下横筋９，９…とを互に結束線（図示せず）等で結束する。
【００１４】
図４は該トラス鉄筋５を更に補強したものである。図４（ａ）に示すように、Ｖ字型の該トラス鉄筋５を構成する該上面側の主鉄筋２，２間の上面に長手方向にＮ字状の連続した水平筋４０を固着して形成する。尚、Ｎ字状の該水平筋４０は、Ｓ字状の波型に形成してもよい。
【００１５】
次に、該高強度ＲＣ・ＰＣａ版１の周囲の４辺には、個々の該高強度ＲＣ・ＰＣａ版１，１…同士を結合して一体性を高め連続板としての設計を可能とするために、後述するように断面Ｈ形のコッター１６，１６…を取り付けるコッター受金具１１，１１…を設置する。該コッター受金具１１，１１…の設置位置は、該高強度ＲＣ・ＰＣａ版１の長手方向には７５０mm間隔で幅方向には７００mm間隔を可とする。又、該高強度ＲＣ・ＰＣａ版１の幅方向の中央部であり、且つ、該トラス鉄筋５の近傍であって、該高強度ＲＣ・ＰＣａ版１の長手方向の両端部から夫々該高強度ＲＣ・ＰＣａ版１の長手方向の長さの４分の１の長さの位置に後述するように該高強度ＲＣ・ＰＣａ版１を敷設した後、路盤Ｇが沈下したときに対応するためのリフトアップジャッキ取付治具５０を取り付けるためのパイプ１０，１０を設置する。尚、該パイプ１０，１０は該高強度ＲＣ・ＰＣａ版１を搬送する際に、吊り金具としても使用でき、使用しないときにはキャップ（図示せず）を螺着しておく。更に、該パイプ１０，１０…は該路盤Ｇとの間にグラウト材を注入するときの注入孔及びエアー抜き用の孔にも利用する。
【００１６】
前記配筋及び各金具等の設置を完了した後、型枠（図示せず）を用いて高強度コンクリートＲを打設して該高強度ＲＣ・ＰＣａ版１を完成させる。その際、該型枠の底板には該高強度ＲＣ・ＰＣａ版１の上面となる該主鉄筋２側を設置する。
【００１７】
従って、該高強度ＲＣ・ＰＣａ版１を製作するときには、現場での使用時に該高強度ＲＣ・ＰＣａ版１の上面側となる面を下に向けて行う。
【００１８】
更に、該型枠の底部には縞鋼板等を配設することにより、該高強度ＲＣ・ＰＣａ版１のコンクリートの上面の滑り抵抗を増すためのグルービング（図示せず）を設けることができる。該グルービングは、該高強度コンクリートＲの養生後、該型枠を解体するだけで容易に形成でき、従来のように、コンクリート面をダイヤモンドカッタ等で溝切りする必要もなく、又、該型枠の底部に配設する板の形状を変えることにより、どんな形状のグルービングでも形成することができる。更に、該型枠の側板は、該高強度ＲＣ・ＰＣａ版１の側部１ａ，１ａ，１ｂ，１ｂの垂直方向にテーパーを付けるようにしておく。このテーパーは、後述するように該高強度ＲＣ・ＰＣａ版１の使用中に迅速に部分的に交換が可能とするため隣り合う該高強度ＲＣ・ＰＣａ版１同士の迫りによる抵抗力を小さくするようにするためと該高強度ＲＣ・ＰＣａ版１の敷設後の雨水の流れをスムーズに行うために設けられる。
【００１９】
打設コンクリートは、耐久性、耐摩耗性に優れ、曲げ強度の高い（６０N/mm2）の高強度コンクリートＲを使用する。該高強度コンクリートＲを使用することにより、従来のポストテンションプレストレストコンクリート舗装による舗装厚さ１８０mmを２００mmにすることにより対処することができると共に、従来のコンクリート舗装より安価に製作することができる。又、高強度コンクリートＲを打設した該下面側の主鉄筋３側の下面には、該高強度ＲＣ・ＰＣａ版１を敷設した後、該路盤Ｇとの間にグラウト材（図示せず）を充填する際に該グラウト材が該高強度ＲＣ・ＰＣａ版１の下面に付着しないように付着防止材となるアクリル系又はウレタン系又はフッソ系の樹脂（図示せず）を塗付する等の表面処理を行う。この表面処理の効果は、該高強度ＲＣ・ＰＣａ版１を設置後、該路盤Ｇが不同沈下した際、充填した該グラウト材は該路盤Ｇと共に沈下するが、該高強度ＲＣ・ＰＣａ版１は沈下せず元の位置に残るようにして、該高強度ＲＣ・ＰＣａ版１の下面と沈下した元のグラウト材との間に新たにグラウト材を注入することで対処しようとするものである。更に、該高強度ＲＣ・ＰＣａ版１の該側部１ａ，１ａ，１ｂ，１ｂの全周には、後述するように該高強度ＲＣ・ＰＣａ版１の敷設重量による該路盤Ｇ側のポンピング現象を防止するためにシール材３７を貼着する。次に、図５（ａ）（ｂ）により該路盤Ｇに敷設した該高強度ＲＣ・ＰＣａ版１同士を結合する該コッター受金具１１及び該コッター１６を説明する。該コッター受金具１１は断面Ｃ型の溝穴１２を有するように形成し、該コッター受金具１１，１１を対峙させて相互にＨ形状に合体した該溝穴１２，１２に断面Ｈ形のコッター１６を垂直に挿入して、該高強度ＲＣ・ＰＣａ版１，１同士を結合する。該コッター受金具１１のカムリップ１４，１４にはその内面１５，１５に該コッター１６の挿入方向の該高強度ＲＣ・ＰＣａ版１の上面から下面に向けて、該コッター受金具１１，１１同士が対峙する該カムリップ１４，１４の外面１３，１３から離れる方向に傾斜したテーパー面を形成する。又、該コッター受金具１１の該溝穴１２の底部１２ａには該コッター１６を固定するボルト２１のための螺子部２３を刻設する。
【００２０】
該コッター１６は前記したように、該コッター受金具１１，１１同士を対峙させた状態で、その対峙する該溝穴１２，１２の内部に挿入可能な断面Ｈ形に形成し、そのウエブ２０の左右の結合フランジ１９，１９の内面１８，１８，１８，１８にコッター受金具１１，１１の該カムリップ１４，１４の内面１５，１５のテーパー面と同じテーパー角度で、且つ、挿入方向の該高強度ＲＣ・ＰＣａ版１の上面から下面に向けての該結合フランジ１９，１９の外面１７，１７に近づく方向に傾斜したテーパー面を形成する。又、該コッター１６の該結合フランジ１９の中央部近傍には該コッター１６を該コッター受金具１１に固定するボルト２１を挿入するためのボルト孔２２を開穿する。
【００２１】
以上の構成に於て、該高強度ＲＣ・ＰＣａ版１，１同士を対峙させたとき、該コッター受金具１１，１１同士も対峙することになり、該コッター受金具１１，１１の該溝穴１２，１２に該コッター１６を挿入し、該コッター受金具１１，１１の該カムリップ１４，１４を該コッター１６の該結合フランジ１９，１９で締付けると共に、該コッター１６の上面より該ボルト２１，２１を挿入して該コッター受金具１１，１１の該底部１２ａの該螺子部２３に螺合させて、該コッター１６を介して該高強度ＲＣ・ＰＣａ版１，１同士を結合する。
【００２２】
尚、該コッター受金具１１の上面取付位置は、該高強度ＲＣ・ＰＣａ版１の上面位置よりコンクリートを面取り１ｃする分（２５mm）下げた位置とし、該コッター受金具１１の該外面１３も該高強度ＲＣ・ＰＣａ版１の該側部１ａ，１ａ，１ｂ，１ｂより０．５mmから１mm控えた位置としてアンカー鉄筋に固着して設置する。又、前記したように、該高強度ＲＣ・ＰＣａ版１の該側部１ａ，１ａ，１ｂ，１ｂにテーパーを付ける場合には、該コッター受金具１１の取付けは該側部１ａ，１ａ，１ｂ，１ｂのテーパー面に垂直に設置する。
【００２３】
次に、図６及び図７により該高強度ＲＣ・ＰＣａ版１を敷設後、該路盤Ｇが不同沈下等を起したときに対応するための該高強度ＲＣ・ＰＣａ版１のリフトアップ方法を説明する。前記したように該高強度ＲＣ・ＰＣａ版１の幅方向の中心部であって、長手方向に４．５ｍの間隔を取った位置にリフトアップジャッキ取付治具５０を取り付けるためのパイプ１０，１０をコンクリート内に鉛直に埋設する。該パイプ１０は１２mmの肉厚を有し、図６に示すように該高強度ＲＣ・ＰＣａ版１の上面側の内径には該リフトアップジャッキ取付治具５０の軸部５４に刻設されている螺子に螺合する台形螺子５４ａを刻設する。尚、該パイプ１０の上面は該高強度ＲＣ・ＰＣａ版１のコンクリート面より面取り１ｃした分下げた位置とする。
【００２４】
図７は該リフトアップジャッキ取付治具５０を示し、上部は上面板５０ａと下面板５０ｃを正方形状にし、左右の側面板５０ｂ，５０ｂを矩形状に構成したリフトアップジャッキ５１取付部とし、下部は該下面板５０ｃの下部に鉛直に固着された軸部５４からなる。該軸部５４の下部外径には該高強度ＲＣ・ＰＣａ版１に設置されている該パイプ１０と螺合する台形螺子５４ａを刻設する。又、該下面板５０ｃと該軸部５４の中央部には、該リフトアップジャッキ５１の伸張力を該路盤Ｇに伝達するロッド５３を貫通させるロッド孔５５を開穿する。該ロッド５３の上部には、該リフトアップジャッキ５１を設置するためのジャッキ受５２を設ける。
【００２５】
該高強度ＲＣ・ＰＣａ版１の該パイプ１０に該リフトアップジャッキ取付治具５０を取り付けた後、該リフトアップジャッキ取付治具５０と該路盤Ｇとの間に設置された該ロッド５３の該ジャッキ受５２と該上面板５０ａとの間に該リフトアップジャッキ５１をセットし、該リフトアップジャッキ５１を伸張すると、該ロッド５３を介して該路盤Ｇに反力を取って該リフトアップジャッキ取付治具５０が上昇すると共に該高強度ＲＣ・ＰＣａ版１が上昇する。その後、該高強度ＲＣ・ＰＣａ版１の下面と該路盤Ｇとの間にグラウト材（図示せず）を充填して該路盤Ｇの沈下に対応する。
【００２６】
尚、該高強度ＲＣ・ＰＣａ版１の敷設のための路盤工事を行う際、予め、該路盤Ｇ内に該高強度ＲＣ・ＰＣａ版１の敷設方向に沿い、且つ、該高強度ＲＣ・ＰＣａ版１の該パイプ１０と対応する位置に鋼板からなるリフトアップ用支持板３１をレール状に連続して水平に埋設する。該リフトアップ用支持板３１は該高強度ＲＣ・ＰＣａ版１の長手方向に所定の幅を有し、その上面は該路盤Ｇの上面と一致させ、下部には幅方向に所定の間隔で該路盤Ｇ内での移動を防止するためのアンカー３２，３２を設ける。
【００２７】
次に、該路盤Ｇ内にグラウト材の漏出を防止するために路盤工の上にポリエチレンシート３０を敷設する。該ポリエチレンシート３０の重ね代は所定の長さを確保すると共に、その接合はポリエチレンフィルムを使用する。又、該リフトアップ用支持板３１の上部となる部分には、該リフトアップジャッキ取付治具５０の該ロッド５３の先端によって該ポリエチレンシート３０が破損する虞があるため、該リフトアップ用支持板３１の長手方向に沿って不織布シートからなるクッション材３３を貼着する。
【００２８】
次に、図８により該高強度ＲＣ・ＰＣａ版１の側部１ａ，１ａ，１ｂ，１ｂに設けるテーパーについて説明する。該テーパーは図８（ａ）に示すように、該高強度ＲＣ・ＰＣａ版１を連続して敷設した後、クラウン部３４から両側へ夫々勾配α，α（１％）を付けて雨水をスムーズに排水するために設ける。該クラウン部３４に於ける該高強度ＲＣ・ＰＣａ版１の長手方向の該側部１ａ及び幅方向の該側部１ｂの接合面の該テーパー角度βは、図８（ｂ）に示すように該高強度ＲＣ・ＰＣａ版１の下面よりの直角度に該勾配αを加えた角度とする。
【００２９】
又、敷設した該高強度ＲＣ・ＰＣａ版１の部分的交換を容易にするために、図８（ｃ）に示すように該高強度ＲＣ・ＰＣａ版１の幅方向の該側部１ｂ，１ｂ同士の接合面３５に抜き勾配γを付ける。該抜き勾配γは該クラウン部３４からの勾配αに沿った該高強度ＲＣ・ＰＣａ版１の下面よりの垂直線に付して該勾配αより大きな角度を取るものとし、１．４°〜２．８°を可とする。一方、該高強度ＲＣ・ＰＣａ版１の長手方向の該側部１ａのテーパーは、前記したように該クラウン部３４側のみに設け、反対側の該側部１ａは該勾配αに対し垂直面に形成する。尚、該テーパーの取付位置及び勾配等は該高強度ＲＣ・ＰＣａ版１，１…によるコンクリート舗装の設計により適宜決定される。
【００３０】
次に、図９により該高強度ＲＣ・ＰＣａ版１の該側部１ａ，１ｂの止水方法について説明する。該高強度ＲＣ・ＰＣａ版１，１…を敷設したとき、該高強度ＲＣ・ＰＣａ版１の重量により該路盤Ｇ側に発生するポンピング現象によって、該高強度ＲＣ・ＰＣａ版１，１間に侵入する水を止水するため、該高強度ＲＣ・ＰＣａ版１の下面近傍であって、該高強度ＲＣ・ＰＣａ版１の該側部１ａ，１ｂの接合面間に断面が六角形状のシール溝３６を形成する。該シール溝３６は、該高強度ＲＣ・ＰＣａ版１の該側部１ａ，１ｂの全周に渡って設けると共に、該シール溝３６内に変成シリコーン系のシール材３７を貼着してポンピング現象による下面からの止水及び上面からの雨水等の止水を行う。
【００３１】
尚、前記一実施の形態で示した高強度ＲＣ・ＰＣａ版の大きさ、鉄筋の大きさ、コッター受金具の取付間隔等はこれに限定されるべきものではなく、該高強度ＲＣ・ＰＣａ版の設計により適宜変更される。
【００３２】
而して、本発明は、本発明の精神を逸脱しない限り種々の改変を為すことができ、そして、本発明が該改変されたものに及ぶことは当然である。
【００３３】
【発明の効果】
以上説明したように、本発明の、高強度鉄筋コンクリートプレキャスト版は、該プレキャスト版の幅方向に所定間隔で長手方向に配設する上面側の２本の主鉄筋と下面側１本の主鉄筋との間に長手方向に連続して斜筋を固着して、横断面視Ｖ字型となるようにトラス鉄筋を構成し、上記横断面視Ｖ字型となるトラス鉄筋の上面側の主鉄筋同士を水平筋で固着し、該水平筋固着トラス鉄筋を該プレキャスト版の幅方向に所定間隔で配設したから、上面側の２本の主鉄筋は圧縮側鉄筋として、下面側の１本の主鉄筋は引張側鉄筋として夫々作用すると共に、上面側の主鉄筋同士を上記水平筋で固着したので、該プレキャスト版の上面側の剛性を高め、ポストテンションプレキャストコンクリート舗装版と同等以上の耐久性、耐摩耗性、曲げ強度や捻れ応力の高いプレキャスト版を提供することができる。而して、現場打ちによることなくコンクリート舗装版を提供することが可能となり、準備工や養生に随伴する設備コストや施工時間を削減することができる。
そして、上記プレキャスト版の幅方向の中央部であって、長手方向両端部夫々から長手方向の長さの略４分の１の長さ分中心寄り位置にして、隣り合う上記水平筋固着トラス鉄筋の中間である上記水平筋固着トラス鉄筋の近傍箇所に路盤の不同沈下時該プレキャスト版をリフトアップするためのリフトアップジャッキ取付治具の取付けのみならず該プレキャスト版搬送用クレーンの吊り金具の取付けに利用するパイプを鉛直に埋設し、該パイプは前記プレキャスト版の上面側の内径に該リフトアップジャッキ取付治具の軸部及び上記吊り金具の軸部に刻設されている台形螺子に螺合する雌螺子を刻設してなるので、該プレキャスト版を敷設した後、路盤が不同沈下等を起したときのリフトアップジャッキ取付治具の取付けにあたり、前記リフトアップジャッキ取付治具の軸部及び吊り金具の軸部の螺子を前記パイプの内径に刻設された台形螺子に螺合させることにより簡易迅速にリフトアップジャキやクレーンを取付けることができ、該パイプを、グラウト材の注入孔及びエアー抜き孔等にも利用できる。また、上記螺子付のパイプは、上記プレキャスト版の幅方向の中央部であって、長手方向両端部夫々から長手方向の長さの４分の１の長さ分中心寄り位置に設けているので、クレーンによる吊り上げ時やリフトアップジャッキによる揚重時の重量バランスが良好となる。
更に、上記プレキャスト版の下面に、グラウト材の付着を防止するためのアクリル系、ポリウレタン系又はフッソ系の樹脂を塗布して表面処理を施してなるので、高強度鉄筋コンクリートプレキャスト版を設置後路盤が不同沈下した際、充填したグラウト材は該路盤と共に沈下するが、該高強度鉄筋コンクリートプレキャスト版は沈下することなく元の位置に残るようにして、該高強度鉄筋コンクリートプレキャスト版と沈下した元のグラウト材との間に新たにグラウト材を注入することで不同沈下に対処することができる。
【図面の簡単な説明】
【図１】  本発明の一実施の形態を示し、高強度ＲＣ・ＰＣａ版の配筋平面図であって、中心線より上部が下面から視た配筋図を示し、中心線より下部が上面から視た配筋図。
【図２】  図１のロ−矢視図。
【図３】  図１のイ−イ断面図。
【図４】  （ａ）他のトラス鉄筋を示す平面図。
（ｂ）図４（ａ）のハ−ハ断面図。
【図５】  （ａ）コッターでの結合状態を示す平面図。
（ｂ）図５（ａ）のニ−ニ矢視図。
【図６】  高強度ＲＣ・ＰＣａ版のリフトアップ状態を示す側面図。
【図７】  （ａ）リフトアップジャッキ取付治具を示す側面図。
（ｂ）図７（ａ）のホ−ホ矢視図。
（ｃ）図７（ａ）のヘ−ヘ矢視図。
【図８】  （ａ）高強度ＲＣ・ＰＣａ版の敷設状態を示す側面図。
（ｂ）図８（ａ）のクラウン部の詳細図。
（ｃ）図８（ａ）の他の接合面の詳細図。
【図９】  シール材の設置状態を示す側断面図。
【図１０】  従来例のコンクリート舗装のフローチャート図。
【符号の説明】
１     高強度ＲＣ・ＰＣａ版
１ａ，１ｂ 側部
２     上面側の主鉄筋
３     下面側の主鉄筋
４     斜筋
５     トラス鉄筋
１０   パイプ
１１   コッター受金具
１６   コッター
３７   シール材
４０   水平筋
Ｇ     路盤
Ｒ     高強度コンクリート
【図１】
0004010388.tif 000002
【図２】
0004010388.tif 000003
【図３】
0004010388.tif 000004
【図４】
0004010388.tif 000005
【図５】
0004010388.tif 000006
【図６】
0004010388.tif 000007
【図７】
0004010388.tif 000008
【図８】
0004010388.tif 000009
【図９】
0004010388.tif 000010
【図１０】
0004010388.tif 000011